(57)【特許請求の範囲】
【請求項１】
上面に収容凹部を備え、底面が取付基板に取り付けられるハウジングと、
前記収容凹部内に設けられた複数の固定電極と、
前記固定電極と導通可能な可動電極を備え、前記可動電極と前記固定電極との導通状態を切り替えるために前記収容凹部内に移動可能に設けられたスライダとを有し、
前記固定電極の外部端子が前記ハウジングの底面にのみ露出されており、
前記固定電極は、前記ハウジングの前記底面に対して傾斜し前記外部端子から上方へ延びるはんだ付け部を有しており、
前記はんだ付け部は、前記外部端子を挟んで前記スライダのスライド方向の両側に設けられていることを特徴とするスライドスイッチ。
【請求項２】
前記ハウジングの前記底面の外周端部には前記はんだ付け部と前記取付基板との間に画成される空間を前記ハウジングの側方外側に連続させる凹部が設けられていることを特徴とする請求項１に記載のスライドスイッチ。
【請求項３】
前記ハウジングの前記底面には、複数の前記はんだ付け部と前記取付基板との間に画成される空間同士を連通させない仕切部が設けられていることを特徴とする請求項２に記載のスライドスイッチ。
【発明の詳細な説明】
【技術分野】
【０００１】
本発明は、各種電子機器に使用されるスライドスイッチに関する。
【背景技術】
【０００２】
携帯電話等の各種小型の電子機器に用いられるスライドスイッチが特許文献１等として知られている。近年の機器の小型化に伴いこのようなスライドスイッチも小型化が要請されている。
【０００３】
特許文献１に記載のスライドスイッチは、図１０に示すように、上面に開口する略箱形の絶縁樹脂製のケース１０１と、ケース１０１上面の開口部を覆うカバー１０５とケース１０１の内底面に固定された固定接点に弾接してスイッチ接点を形成する可動接点と、ケース１０１側面から突出した操作部１０３Ａを有してケース１０１内に左右方向へ移動可能に収容され可動接点が取り付けられた操作体１０３と、固定接点から延出しケース１０１端部から外方へ突出した端子１１２とを備えている。操作部１０３Ａをスライド操作することによってスイッチ接点の切り替えが行われ、電気信号が端子１１２から配線基板上の配線パターン等を介して機器の電子回路に出力されて機器の様々な機能の切り替えが行われる。
【先行技術文献】
【特許文献】
【０００４】
【特許文献１】特開２００９−８１１２８号公報
【発明の概要】
【発明が解決しようとする課題】
【０００５】
ところで、従来の例えば特許文献１に記載のスライドスイッチでは、端子１１２の先端がケース１０１の側面の外側に張り出して形成されており、端子１１２を外部に接続するための配線パターンは配線基板上のケース１０１の外側領域に設けられることになる。したがってそれぞれの配線パターンはケース１０１の外周を囲むように設けられるので、特にスライドスイッチの端子数が多い場合には配線パターンの占める領域が広くなり、必ずしも配線基板上の配線効率が良いとは言えなかった。また、端子１１２の先端がケース１０１の外側に張り出しているので、配線基板上の別の電子部品とスライドスイッチの端子部１１２の先端との距離が短くなり、スライドスイッチの端子部１１２の先端と別の電子部品との間で静電放電が生じてその電子部品が損傷する虞があった。
【０００６】
そこで、本発明者らは、このような従来のスライドスイッチの直下には配線パターンが設けられていないところ、このスライドスイッチの直下の領域に配線パターンを設けるようにすれば、配線パターンをより高密度化して取付基板を含む装置全体を更に小型化し、また、端子部を底面にのみ露出させればスライドスイッチの端子部と別の電子部品との距離を広げて別の電子部品が損傷することを防止できると考えた。
【０００７】
そこで本発明は、取付基板の配線パターンを高密度化し他の電子部品との間で静電放電が生じる虞の少ないスライドスイッチを提供することを目的とする。
【課題を解決するための手段】
【０００８】
上記目的を達成するために、本発明によれば以下が提供される。
（１）  上面に収容凹部を備え、底面が取付基板に取り付けられるハウジングと、
前記収容凹部内に設けられた複数の固定電極と、
前記固定電極と導通可能な可動電極を備え、前記可動電極と前記固定電極との導通状態を切り替えるために前記収容凹部内に移動可能に設けられたスライダとを有し、
前記固定電極の外部端子が前記ハウジングの底面にのみ露出されていることを特徴とするスライドスイッチ。
（２）  前記固定電極は、前記ハウジングの前記底面に対して傾斜し前記外部端子から上方へ延びるはんだ付け部を有することを特徴とする（１）のスライドスイッチ。
（３）  前記はんだ付け部は、前記外部端子を挟んで前記スライダのスライド方向の両側に設けられていることを特徴とする（２）のスライドスイッチ。
（４）  前記ハウジングの前記底面の外周端部には前記はんだ付け部と前記取付基板との間に画成される空間を前記ハウジングの側方外側に連続させる凹部が設けられていることを特徴とする（２）または（３）のスライドスイッチ。
（５）  前記ハウジングの前記底面には、複数の前記はんだ付け部と前記取付基板との間に画成される空間同士を連通させない仕切部が設けられていることを特徴とする（４）のスライドスイッチ。
【発明の効果】
【０００９】
本発明に係るスライドスイッチによれば、前記固定電極の外部端子が前記ハウジングの底面に露出されているので、取付基板のうちハウジングの底面に接する領域に引き出し配線を設けることができる。したがって、従来はデッドスペースであった領域に引き出し配線を設けられるので、取付基板の配線を更に高密度化することができる。
【００１０】
また、前記固定電極の外部端子が前記ハウジングの底面にのみ露出されており、ハウジングの側面に固定電極が露出しない。したがって、スライドスイッチの側方近傍に別の電子部品が配置されていても、固定電極と別の電子部品との間が離間されているため静電放電によりスライドスイッチや別の電子部品が損傷する虞が少ない。
【図面の簡単な説明】
【００１１】
【図１】本発明の第１実施形態に係るスライドスイッチの分解斜視図である。
【図２】図１に示すスライドスイッチの底面から見た斜視図である。
【図３】図１に示すスライドスイッチの可動電極と固定電極とハウジングとを示す上面図である。
【図４】図３の断面図である。
【図５】図１に示すスライドスイッチを示す図である。
【図６】本発明の第２実施形態に係るスライドスイッチの図３に相当する図である。
【図７】図６の断面図である。
【図８】本発明の第３実施形態に係るスライドスイッチの底面から見た斜視図である。
【図９】本発明の第３実施形態に係るスライドスイッチの図３に相当する図である。
【図１０】従来技術に係るスライドスイッチの斜視図である。
【発明を実施するための形態】
【００１２】
以下、本発明の第１実施形態に係るスライドスイッチ１を、図面を参照しつつ説明する。
【００１３】
図１は本第１実施形態に係るスライドスイッチ１の分解斜視図であり、図２はスライドスイッチ１の底面を示す斜視図である。スライドスイッチ１は、図１に示すように、上面に収容凹部２ａが設けられたハウジング２と、ハウジング２に固定された第１〜３固定電極３〜５と、第１〜３固定電極３〜５に接触可能な可動電極６と、可動電極６が取り付けられ収容凹部２ａ内を所定の方向（図示の例では左右方向）に移動可能なスライダ７と、収容凹部２ａの開口を覆う金属製のカバー８とを備えている。なお、本実施形態のスライドスイッチ１は、３つの第１〜３固定電極３〜５と１つの可動電極６によって１接点２回路のスイッチを構成している。このようなスライドスイッチ１は、ハウジング２の底面２ｄが取付基板９に当接するように取り付けられる。
【００１４】
ハウジング２は薄い箱形の樹脂部材であり、その上面には収容凹部２ａが設けられている。収容凹部２ａは略矩形状に形成され、その中には第１〜３固定電極３〜５が平行に配置されている。また、収容凹部２ａの長さ（図１の左右方向の長さ）はスライダ７の移動ストロークを決定している。また、図２に示すようにハウジング２の底面２ｄには位置決め用突起２ｅが設けられており、スライドスイッチ１を位置決め精度良く取付基板に取り付けることができる。
【００１５】
スライダ７はつまみ部７ａがハウジング２の側面に設けられた開口２ｂを介してスライドスイッチ１の外部に延出している。スライダ７の下面には可動電極６が取り付けられている。可動電極６は、第１〜３固定電極３〜５に対応するように接触端子が設けられており、その先端には屈曲部が設けられて後述する第１〜３固定電極３〜５の接触端子３ａ〜５ａと弾性的に接触可能とされている。なお、可動電極６の接触端子を容易に弾性変形させるために可動電極６の接触端子の長手方向にスリットを設けてもよい。
【００１６】
カバー８は、天板部８ａと、天板部８ａから張り出してハウジング２の側壁に沿って延びる一対の脚部８ｂとを有し、脚部８ｂがハウジング２の側面に設けられた爪部２ｃに係止されることで、カバー８がハウジング２に固定されている。
【００１７】
スライダ７のカバー８と対向する面には、複数（図示の例では２つ）の凹部が隣り合って形成された位置決め凹部７ｂが形成されている。また、カバー８の位置決め凹部７ｂと対応する位置には、金属片をくの字形に屈曲させて形成した弾性当接部８ｃが設けられている。スライダ７を移動させた時に、このカバー８の弾性当接部８ｃの頂部が位置決め凹部７ｂのいずれかの凹部に位置することにより、スライダ７の位置が維持される。
【００１８】
以下、図３，４，５を参照して第１〜３固定電極３〜５を詳細に説明する。なお、図３は説明のためにカバー８及びスライダ７を省略したスライドスイッチ１を示す上面図である。また、図４（ａ），４（ｂ）はそれぞれ図３のＩＶａ−ＩＶａ線、ＩＶｂ−ＩＶｂ線の断面図である。また、図３においてハッチングで示した領域は、第１〜３固定電極３〜５の収容凹部２ａに露出した領域を示す。また、図５は示すスライドスイッチ１を示す図であり、（ａ）はスライドスイッチ１の正面図、（ｂ）は示すスライドスイッチ１の左側面図（スライダ７のつまみ部７ａ側）、（ｃ）は示すスライドスイッチ１の上面図、（ｄ）はスライドスイッチ１の右側面図、（ｅ）はスライドスイッチ１の底面図である。
【００１９】
第１〜３固定電極３〜５はそれぞれ、収容凹部２ａに露出し可動電極６と接触可能な接触端子３ａ〜５ａと、ハウジング２の底面２ｄに露出して取付基板９に設けられた引き出し配線と接続される外部端子３ｂ〜５ｂとを備える。この第１〜３固定電極３〜５はハウジング２とインサート成形で一体的に形成されている。
【００２０】
第１固定電極３は、ハウジング２の収容凹部２ａの略中央に配置された上面視で略コ字状の金属部材である。第１固定電極３は、収容凹部２ａに露出された細長い接続端子３ａと、ハウジング２の底面２ｄに露出する外部端子３ｂと、接続端子３ａから第３固定電極５の接続端子５ａを迂回してスライダ７のつまみ部７ａ側へ延びる延長部３ｃと、延長部３ｃからハウジング２の底面２ｄ側に潜り込みハウジング２の底面２ｄに対して傾斜した傾斜面をなすはんだ付け部３ｄとを備えている。また、延長部３ｃの外部端子３ｂに対して反対側には更に付加はんだ付け部３ｅと、収容凹部２ａに露出する支持面３ｆが設けられている。
この第１固定電極３の接続端子３ａはスライダ７のストロークの全長に亘って形成されているので、スライダ７の位置によらずに可動電極６と第１固定電極３は常に導通状態である。
【００２１】
第２固定電極４は、第１固定電極３に対してスライダ７のつまみ部７ａとは反対側に設けられ、スライダ７の移動方向に延在する細長い金属部材である。第２固定電極４は、スライダ７のストロークの一端に設けられ収容凹部２ａに露出する接続端子４ａと、ハウジング２の底面２ｄに露出する外部端子４ｂと、接続端子４ａと外部端子４ｂとを接続しハウジング２の底面２ｄに対して傾斜した傾斜面をなすはんだ付け部４ｄと、外部端子４ｂに対して接触端子４ａと反対側に設けられた付加はんだ付け部４ｅと、付加はんだ付け部４ｅから更に収容凹部２ａに露出された支持面４ｆとを備えている。なお、第１固定電極３の外部電極３ｂを含む断面は、第２固定電極４の断面を示す図４（ａ）とほぼ同様の形状となる。
【００２２】
第３固定電極５は、第１固定電極３に対して第２固定電極４と反対側に設けられたスライダ７の移動方向に延在する細長い金属部材である。第３固定電極５は、収容凹部２ａに露出する接続端子５ａと、ハウジング２の底面２ｄに露出する外部端子５ｂと、接続端子５ａと外部端子５ｂとを接続しハウジング２の底面２ｄに対して傾斜する傾斜面としてのはんだ付け部５ｄとを備えている。
【００２３】
第３固定電極５の接続端子５ａは、スライダ７のストロークの内、第２固定電極４の接続端子４ａと重複しない領域に設けられている。本実施形態のスライドスイッチ１は、スライダ７を移動させることで、第１固定電極３の接続端子３ａと第２固定電極４の接続端子４ａとの導通状態及び、第１固定電極３の接続端子３ａと第３固定電極５の接続端子５ａとの導通状態とを切り替え可能である。
【００２４】
なお、これら第１〜３固定電極３〜５の接触端子３ａ〜５ａは収容凹部２ａの底面と略平行に設けられ、可動電極６と滑らかに接触可能とされている。また、第１〜３固定電極３〜５の外部端子３ｂ〜５ｂもハウジング２の底面２ｄと略平行に設けられ、スライドスイッチ１を取付基板９に取り付けたときに取付基板９上の配線パターンと接触面積が大きくなるようにされている。
【００２５】
これら外部端子３ｂ〜５ｂはいずれも上面視で長尺の第１〜３固定電極３〜５の長手方向中央に設けられ、スライドスイッチ１全体の中央に位置されている。このように、外部端子３ｂ〜５ｂがスライドスイッチ１の中央に位置されていると、はんだ付け時等に加熱されてスライドスイッチ１が湾曲しても、外部端子３ｂ〜５ｂと取付基板９との距離が広がりにくく、スライドスイッチ１が取付基板９から脱落する虞が少ない。
【００２６】
以上のように構成されるスライドスイッチ１において、第１〜３固定電極３〜５の外部端子３ｂ〜５ｂはいずれもハウジング２の底面２ｄに露出しているので、従来はデッドスペースであった取付基板９のハウジング２の底面２ｄに向かい合う領域に引き出し線を配線することができ配線効率が向上する。更に、従来のようにスライドスイッチを避けるようにスライドスイッチの外周縁に引き出し線を配線する場合に比べて、スライドスイッチ１の外周縁を別の配線等に使えることになり、配線効率が向上する。
【００２７】
また、第１〜３固定電極３〜５の外部端子３ｂ〜５ｂのいずれもハウジング２の底面２ｄに露出させ、ハウジング２の側面に外部端子３ｂ〜５ｂを露出させていない。したがって、第１〜３固定電極３〜５の全体がハウジング２の側面から外部に露出せず、隣接する別の電子部品との距離が隔てられているので、この電子部品への静電放電による損傷を与える虞が少ない。このために、第１〜３固定電極３〜５はいずれもその全体が収容凹部２ａ内に収まる大きさに設定されている。つまり本実施形態では上面視で、第１〜３固定電極３〜５の全長は、収容凹部２ａのスライダ７の移動方向の長さよりも短く設定されている。
【００２８】
更に図２に示すように、はんだ付け部３ｄ，４ｄ，５ｄ及び付加はんだ付け部３ｅ，４ｅが、ハウジング２の底面２ｄに対して傾斜するように設けられている。このため、図４に示すように、はんだ付け部３ｄ，４ｄ，５ｄと取付基板９及び付加はんだ付け部３ｅ，４ｅと取付基板９との間には鋭角の角度を持つ空間が形成される。スライドスイッチ１を取付基板９に取り付ける際には、この鋭角の角度を有する隙間に、はんだフィレットＡを良好に形成することができるので、はんだの付着面積が大きくなりはんだ付け強度が向上する。
【００２９】
更に図２に示すようにハウジング２の底面２ｄの外周端部には、上述のはんだ付け部３ｄ，４ｄ，５ｄと取付基板９、及び付加はんだ付け部３ｅ，４ｅと取付基板９との間に形成される鋭角の角度を有する空間をハウジング２の側方外側に連通させる凹部２ｆが設けられている。本実施形態の凹部２ｆは、はんだ付け部３ｄ，４ｄ，５ｄ及び付加はんだ付け部３ｅ，４ｅと同様の傾斜面で構成されており、そこに形成される空間と同様の空間が凹部２ｆと取付基板９との間に形成されている。
【００３０】
また、第１〜３固定電極３〜５の外部端子３ｂ〜５ｂがハウジング２の側面に露出せず、ハウジング２の底面２ｄの中央部分に配置されているので、外部端子３ｂ〜５ｂに隣接するはんだ付け部３ｄ〜５ｄ及び付加はんだ付け部３ｅ，４ｅもハウジング２の底面２ｄの中央部分に位置されている。したがって、取付基板９へのはんだ付け時にスライドスイッチ１が加熱されて樹脂製のハウジング２に変形や反りが生じても、はんだ付け部３ｄ〜５ｄ及び付加はんだ付け部３ｅ，４ｅと取付基板９の表面との距離は変化しにくく、はんだ付け部３ｄ〜５ｄ及び付加はんだ付け部３ｅ，４ｅにはんだを付着させやすいので確実にスライドスイッチ１を取付基板９に取り付けることができる。
【００３１】
このように、上述のはんだ付け部３ｄ，４ｄ，５ｄと取付基板９及び付加はんだ付け部３ｅ，４ｅと取付基板９との間に形成される空間をハウジング２の側方外側に連通させる凹部２ｆを設けたことにより、ハウジング２の側面からはんだ付け時に、はんだフィレットＡが該空間に良好に形成されているかを観察することができる。したがって、はんだ付けの良否をハウジング２の側面から簡単に確認することができるので良品検査の効率を向上させることが出来る。なお、本実施形態では凹部２ｆをはんだ付け部３ｄ，４ｄ，５ｄ及び付加はんだ付け部３ｅ，４ｅと同様の形状として説明しているが、傾斜面と同様の形状でなくとも、該空間をハウジング２の側方外側に連通させる形状であればよいことはもちろんである。
【００３２】
またハウジング２の底面２ｄには、ハウジング２の一方の側（つまみ部７ａ側）に設けられたはんだ付け部３ｄ，５ｄと凹部２ｆにより形成された空間と、ハウジング２の反対側に設けられたはんだ付け部４ｄと凹部２ｆにより形成された空間とを隔てる仕切部２ｇが設けられている。スライドスイッチ１を取付基板９にはんだ付けする際には、仕切部２ｇが両者の空間にはんだが跨ることを防止するので、ハウジング２の一方の側に設けられた第１固定電極３の外部端子３ｂ及び第３固定電極５の外部端子５ｂと、ハウジング２の他方の側に設けられた第２固定電極４の外部端子４ｂとが誤って導通してしまう虞がない。
【００３３】
また、図２及び図４（ａ）に示すように、第１固定電極３及び第２固定電極４には、外部端子３ｂ，４ｂを挟んでスライダ７の移動方向の両側にはんだ付け部３ｄ，４ｄと付加はんだ付け部３ｅ，４ｅとが設けられている。このため、スライダ７を操作する際に、ハウジング２にスライダ７の移動方向に力が作用しても、両側に設けられたはんだ付け部３ｄ，４ｄ及び付加はんだ付け部３ｅ，４ｅとがこの力を支承するのでハウジング２が取付基板９から脱落する虞が少ない。
【００３４】
次に、上述の第２実施形態に係るスライドスイッチ１を図６，７（ａ），７（ｂ）を参照して説明する。図６，７（ａ），７（ｂ）は第２実施形態に係るスライドスイッチ１１を示す図であり、それぞれ図３，４（ａ），４（ｂ）に対応する図である。なお、第２実施形態に係るスライドスイッチ１１は、上述の第１実施形態に係るスライドスイッチ１と固定電極１３〜１５及び可動電極１６の形状のみが異なるので、異なる点についてのみ説明する。
【００３５】
第２実施形態に係るスライドスイッチ１１では、第２固定電極１４及び第３固定電極１５とが一直線上に配列されている。また、可動電極１６は常に第１固定電極１３の接続端子１３ａに接触する第１接触端子１６ａと、第２固定電極１４の接続端子１４ａ又は第３固定電極１５の接続端子１５ａの一方に選択的に接触できる第２接触端子１６ｂの２つの接触端子を備えている。スライダ７を移動させて、可動電極１６の第２接触端子１６ｂと第２固定電極１４の接触端子１４ａとの導通状態と、可動電極１６の第２接触端子１６ｂと第３固定電極１５の接触端子１５ａとの導通状態とを切り替えることでスイッチ動作を実現している。
【００３６】
本第２実施形態でも、第１〜３固定電極１３〜１５の外部端子１３ｂ〜１５ｂはハウジング２の底面２ｄにのみ露出されているので、上述の第１実施形態と同様に、取付基板９のうちハウジング２の底面２ｄに接する領域に引き出し配線を設けることができ、従来はデッドスペースであった領域に引き出し配線を設けられるので、取付基板９の配線を更に高密度化することができる。また、スライドスイッチ１１の側方近傍に別の電子部品が配置されていても、第１〜３固定電極１３〜１５と別の電子部品との間が離間されているため静電放電によりスライドスイッチ１１や別の電子部品が損傷する虞が少ない。
【００３７】
また、第２実施形態に係るスライドスイッチ１１では、第２固定電極１４と第３固定電極１５とが一直線上に配列されているので、スライダ７の移動方向と直交する方向の寸法が短いスライダスイッチ１１を提供することができる。
【００３８】
更に、第１固定電極１３のはんだ付け部１３ｄと凹部２ｆにより形成される空間、第２固定電極１４のはんだ付け部１４ｄと凹部２ｆにより形成される空間、及び第３固定電極１５のはんだ付け部１５ｄと凹部２ｆにより形成される空間のそれぞれが仕切部２ｇによって隔てられているため、はんだ付けの際に各々の外部端子１３ｂ〜１５ｂが互いに導通する虞がない。
【００３９】
なお、上述の第１及び第２実施形態においては１接点２回路のスライドスイッチ１，１１を例を挙げて説明したが、１接点１回路のスライドスイッチ（ＯＮ−ＯＦＦスイッチ）にも本発明を適用することができる。本発明の第３実施形態に係るスライドスイッチ２１を図８，９に示す。図８は第３実施形態に係るスライドスイッチ２１の底面側から見た斜視図、図９はスライドスイッチ２１の図３と同様の図である。なお、第３実施形態に係るスライドスイッチ２１は、上述の第１実施形態に係るスライドスイッチ１と固定電極及び可動電極の形状のみが異なるので、異なる点についてのみ説明する。
【００４０】
第３実施形態に係るスライドスイッチ２１は、図８，９を合わせて参照して、可動電極２６と常時導通する上面視で略コ字状の第１固定電極２３と、可動電極２６が所定の位置に移動させられた時にのみ可動電極２６と導通する長尺状の第２固定電極２４とを備えている。
【００４１】
図８，９を合わせて参照して、第１固定電極２３は、ハウジング２の収容凹部２ａに配置された上面視で略コ字状の金属部材である。第１固定電極３は、収容凹部２ａに露出された細長い接続端子２３ａと、ハウジング２の底面２ｄに露出する外部端子２３ｂと、接続端子２３ａからハウジング２の底面２ｄ上をスライダ７のつまみ部７ａと反対側に延びる延長部２３ｃと、延長部２３ｃからハウジング２の底面２ｄ側に潜り込みハウジング２の底面２ｄに対して傾斜した傾斜面をなすはんだ付け部２３ｄとを備えている。また、延長部２３ｃの外部端子２３ｂに対して反対側には更に付加はんだ付け部２３ｅと、収容凹部２ａに露出する支持面２３ｆが設けられている。
【００４２】
第２固定電極２４はスライダ７の移動方向に延在する細長い金属部材である。第２固定電極２４は、スライダ７のストロークの一端に設けられ収容凹部２ａに露出する接続端子２４ａと、ハウジング２の底面２ｄに露出する外部端子２４ｂと、接続端子２４ａと外部端子２４ｂとを接続しハウジング２の底面２ｄに対して傾斜した傾斜面をなすはんだ付け部２４ｄと、外部端子２４ｂに対して接触端子２４ａと反対側に設けられた付加はんだ付け部２４ｅと、付加はんだ付け部２４ｅから更に収容凹部２ａに露出された支持面２４ｆとを備えている。
【００４３】
ここで、第２固定電極２４の接触端子２４ａは、スライダ７をそのストロークの一端に移動させた時にのみ可動電極２６と導通するように、収容凹部２ａの底面内の一端に露出させている。つまり、スライドスイッチ２１は、スライダ７をストロークの一端に移動させたときにのみ第１固定電極２３と第２固定電極２４と可動電極２６とを導通させてＯＮ−ＯＦＦ動作を実現する。
【００４４】
このスライドスイッチ２１においても、第１，２固定電極２３，２４の外部端子２３ｂ，２４ｂはハウジング２の底面２ｄにのみ露出されているので、上述の第１実施形態及び第２実施形態と同様に、取付基板９のうちハウジング２の底面２ｄに接する領域に引き出し配線を設けることができ、従来はデッドスペースであった領域に引き出し配線を設けられるので、取付基板９の配線を更に高密度化することができる。また、スライドスイッチ２１の側方近傍に別の電子部品が配置されていても、第１，２固定電極２３，２４と別の電子部品との間が離間されているため静電放電によりスライドスイッチ２１や別の電子部品が損傷する虞が少ない。
【符号の説明】
【００４５】
１，１１，２１  スライドスイッチ、２  ハウジング、２ｆ  凹部、２ｇ  仕切部、３，１３，２３  第１固定電極、４，１４，２４  第２固定電極、５，１５  第３固定電極、３ｂ，１３ｂ，２３ｂ，４ｂ，１４ｂ，２４ｂ，５ｂ，５ｂ  外部端子、３ｄ，１３ｄ，２３ｄ，４ｄ，１４ｄ，２４ｄ，５ｄ，１５ｄ  はんだ付け部、６，１６，２６  可動電極、７  スライダ、８  カバー、９  取付基板
【図１】
0005569251.tif 000002
【図２】
0005569251.tif 000003
【図３】
0005569251.tif 000004
【図４】
0005569251.tif 000005
【図５】
0005569251.tif 000006
【図６】
0005569251.tif 000007
【図７】
0005569251.tif 000008
【図８】
0005569251.tif 000009
【図９】
0005569251.tif 000010
【図１０】
0005569251.tif 000011